(57)【要約】【課題】  ハイブリッド通信方式の移動体通信で、移動中の受信品質を向上させる。【解決手段】  間欠的にコンテンツの放送を行う第１の通信方式と、受信側が前記第１の通信方式と切り替えて定期的に監視対象とする第２の通信方式とを行う通信方式において、第１の通信方式は、コンテンツをパケットに分割して送出し、かつ、パケットの送出タイミングを変更することにより、通信機器が移動中、安定した受信品質を確保するようにした。【選択図】図３
2006339764.tif 000002
【特許請求の範囲】
【請求項１】
間欠的にコンテンツの放送を行う第１の通信方式と、
受信側が前記第１の通信方式と切り替えて定期的に監視対象とする第２の通信方式と、
を行う通信方式において、
前記第１の通信方式は、前記コンテンツをパケットに分割して送出し、かつ、前記パケットの送出タイミングを変更することを特とする通信方式。
【請求項２】
前記通信送出タイミングの変更は、第２の通信方式の監視時間分以上を変化させることを特徴とする請求項１に記載の通信方式。
【請求項３】
前記第１の通信方式は、前記パケットを前記第２の通信方式の監視時間またはそれ以上短縮することを特徴とする請求項１または２に記載の通信方式。
【請求項４】
コンテンツの放送を行う基地局において、
前記基地局は、間欠的に前記コンテンツを前記パケットに分割して送出する送出部と、
前記パケットの送出タイミングを変更する制御部と
を有することを特徴とする基地局。
【請求項５】
前記制御部は、受信側が前記放送と切り替えて定期的に監視対象とする第２の通信方式の通信方法の監視時間分以上を変化させることを特徴とする請求項４記載の基地局。
【請求項６】
前記制御部は、前記パケットを第２の通信方式の監視時間またはそれ以上短縮することを特徴とする請求項４または５に記載の基地局。
【請求項７】
間欠的にコンテンツの放送の受信を行う第１通信部と、
前記第１通信部と切り替えて定期的に監視対象とする第２通信部と、
を有する通信機器において、
前記第１通信部と第２通信部との切り替えを制御する制御部とを有することを特徴とする通信機器。
【請求項８】
前記制御部は、
前記第１通信部が通信期間内と推定される場合には、前記切り替えを行わないようにすることを特徴とする請求項７記載の通信機器。
【請求項９】
前記推定は、前記第１通信部の間欠周期と前記第２通信部の監視間隔時間とから推測することを特徴とする請求項７または８に記載の通信機器。
【発明の詳細な説明】
【技術分野】
【０００１】
本発明は、一定周期中でＢＣＭＣＳ(Ｂｒｏａｄｃａｓｔ  Ｍｕｌｔｉｃａｓｔ  Ｓｅｒｖｉｃｅ)データの送信間隔を一定間隔でずらすことのできる１ｘＥＶ−ＤＯシステムと１ｘシステムをサポートするハイブリッド移動体の通信機器、その通信方式および基地局に関する。
【背景技術】
【０００２】
ＢＣＭＣＳデータの送受信可能な移動体通信システムにおいて、１ｘＥＶ−ＤＯハイブリッドシステムをサポートする端末は、Ｒａｄｉｏ  Ｆｒｅｑｕｅｎｃｙ回路（以下ＲＦ回路とする）を切り替えて１ｘの音声・データ及び１ｘＥＶ−ＤＯデータ通信が可能である。
また端末はどちらのシステムからでも音声・データ着信ができるように５．１２秒周期でＲＦ回路を各システム側へ切り替え、１ｘシステムであればＰａｇｅ（ページ）チャネルをサーチし、Ｐａｇｅ（ページ）メッセージの受信、ＥＶ−ＤＯシステムであればＣｏｎｔｒｏｌ  ＣｈａｎｎｅｌをサーチしＯｖｅｒｈｅａｄメッセージの受信ができる。
ここで５．１２秒の間隔をスロット単位(８０ｍｓ)で表した値をＳｌｏｔ  Ｃｙｃｌｅと呼ぶ。
【０００３】
次にそれぞれのＲＦ回路へ切り替えるタイミングについて述べる。
（１）１ｘシステムへの切り替えについて説明する。
ＲＦ回路を１ｘシステムに切り替えるタイミングは、端末が起動するときに端末を識別する番号の1つであるＩＭＳＩ(Ｉｎｔｅｒｎａｔｉｏｎａｌ  ｍｏｂｉｌｅ  Ｓｕｂｓｃｒｉｂｅｒ  Ｉｄｅｎｔｉｔｙ)より算出されるＰＧＳＬＯＴ（ＰＧスロット）によって決定される。
１ｘシステムでは基地局が、システムが起動してからの時間を５．１２秒毎に分割し、そこからＰＧＳＬＯＴ（単位は８０ｍｓ）をオフセットとしてＰａｇｅメッセージを８０ｍｓ間受信し続け、自分宛のＰａｇｅが無いか監視を行う。ＥＶ−ＤＯ通信中でも１ｘＰａｇｅメッセージを受信する必要があり、このときの様子を図９に示す。
【０００４】
このとき１ｘＰａｇｅの受信タイミングは下記の計算式により算出される。
［数１］
Ｔ＝４
ＰＧＳＬＯＴ＝（２）式
ｔ＝１ｘシステムが起動してからの時間
このとき、時間ｔは次の式（１）を満たす。
【０００５】
【数２】
2006339764.tif 000003
・・・（１）
また上述した、ＰＧＳＬＯＴは具体的には下記の計算式により算出される。
【０００６】
【数３】
2006339764.tif 000004
このときＰＧＳＬＯＴは
【０００７】
【数４】
2006339764.tif 000005
・・・（２）
となる。
【０００８】
各端末のＩＭＳＩはキャリアにおける一意に識別可能な数字であり、そのためＲＦ回路を１ｘへ切り替えるタイミングは図１０に示すように５．１２秒の範囲に均一に分布することになる。
この一連の動作に何度か失敗すると端末はそのシステムが圏外になったと判定し、システムの再サーチを行う。
ここでＢＣＭＣＳ(Ｂｒｏａｄｃａｓｔ  Ｍｕｌｔｉｃａｓｔ  Ｓｅｒｖｉｃｅ)とはＥＶ−ＤＯシステムで使用されるストリーミングサービスで、下り方向（基地局→端末）に動画や音楽等のストリーミングデータが送信され、端末がそれを受信する。
またこの時、通常の１ｘやＥＶ−ＤＯ通信のように再送はおこなわれない。
通常ＢＣＭＣＳデータとして使用するストリーミングデータは始めから終わりまで途切れることのないＲＴＰ等の連続したパケット群である。
【０００９】
一方、ＢＣＭＣＳデータを受信する端末は、このデータの再送が許されないために取りこぼさないよう受信し続けなければならず、ＲＦ回路をＥＶ−ＤＯモードのまま継続的にデータを受信し続けなければならない。そして１ｘシステムへＲＦ回路を切り替える時間が与えられず図１１のように１ｘＰａｇｅメッセージを取りこぼす可能性が高くなる。その結果１ｘシステムが圏外判定され、これが多発するとストリームデータ受信が不安定となり、動画や音声データが途切れる現象が発生する。
【特許文献１】特開２００２−１７１５５５号公報
【特許文献２】特開２００５−８６８１８号公報
【発明の開示】
【発明が解決しようとする課題】
【００１０】
本方式は、移動体通信システムにおいて、基地局から送信するＢＣＭＣＳデータの送信スケジュールを変更することによって、通信機器、例えば移動体端末（携帯電話）がハイブリッド動作中に１ｘＰａｇｅメッセージの受信に失敗するような状況を低減することを目的とする。
【課題を解決するための手段】
【００１１】
本発明の通信方法は、間欠的にコンテンツの放送を行う第１の通信方式と、受信側が前記第１の通信方式と切り替えて定期的に監視対象とする第２の通信方式と、を行う通信方式において、前記第１の通信方式は、前記コンテンツをパケットに分割して送出し、かつ、前記パケットの送出タイミングを変更することを特徴とする。
本発明は、コンテンツの放送を行う基地局において、前記基地局は、間欠的に前記コンテンツを前記パケットに分割して送出する送出部と、前記パケットの送出タイミングを変更する制御部とを備えることを特徴とする。
本発明は、間欠的にコンテンツの放送の受信を行う第１通信部と、前記第１通信部と切り替えて定期的に監視対象とする第２通信部と、を有する通信機器において、前記第１通信部と第２通信部との切り替えを制御する制御部とを有することを特徴とする。
【発明の効果】
【００１２】
通信機器、例えば移動体端末（携帯電話）がセル境界を移動中、１ｘシステムが圏外判定されることを極力低減し、安定した受信品質の確保が可能となる。
【発明を実施するための最良の形態】
【００１３】
本発明の実施形態例においては、従来では５．１２秒の全スロット（６４スロット）に渡ってＢＣＭＣＳデータを送信していたのを、一定の間隔ｍ（たとえば８０ｍｓのスロット単位）で送信するよう変更する。
更にＳｌｏｔ  Ｃｙｃｌｅ毎にｍずつＢＣＭＣＳデータの送信間隔をシフトするようにした（図２，３）。
このｍの設定値について以下のように設定する。
図１にハイブリッド動作中のＲＦ回路のシステム切り替え状態を示す。
切り替え波形は、たとえばローレベルをＥＶ−ＤＯシステム受信時とし、ハイレベルを１ｘシステム受信時とすると、ローレベルから立ち上がり時間をＴＤ０、１ｘシステム受信可能時間をＴｐａｇｅ、また立下り時間をＴ１ｘと表すことができる。
１ｘシステムからＥＶ−ＤＯシステム、あるいはその逆のＥＶ−ＤＯシステムから１ｘシステムへ切り替わるには時間ＴＤ０及びＴ１ｘが必要となる。これらの時間は端末の個体差、温度条件、電波状態によって変動するため、必ずしも一定ではない。
このように、現実には、ＥＶ−ＤＯシステムから１ｘシステムに切り替える、あるいはその逆に切り替えるのに、ＴＤ０とＴ１ｘの余分の切り替え時間が必要である。
【００１４】
図２（Ａ）から図２（Ｃ）に、ＢＣＭＣＳデータのフロー時間と通信機器（移動体端末）、例えば携帯電話のＲＦ回路の切り替えタイミングの関係を示す。
ｍを色々な値に設定した場合の具体例を示す。
図２（Ａ）に、ｍの値を、ＴＤ０＋ＴＰａｇｅ＋Ｔ１ｘの合計値より小さくし、たとえばｍ＝（ＴＤ０＋ＴＰａｇｅ＋Ｔ１ｘ）／２と設定した例を示す。
１ｘデータでＢＣＭＣＳデータがフローされる時間を、５．１２秒（Ｓｌｏｔ  Ｃｙｃｌｅ）毎に、時刻ｔ０で０×ｍ、時刻ｔ１で１×ｍ、時刻ｔ２で２×ｍ、・・・、時刻ｔｎでｎ×ｍの間隔をずらしている。これに対して、ＡＴ（端末；たとえば携帯端末）のＲＦ回路の切り替え信号は５．１２秒のほぼ一定周期で繰り返し出力されている。
すると、時間ｔ２とｔ３の期間と、時間ｔ３とｔ４の期間に、ＢＣＭＣＳデータのｍとＡＴのＲＦ回路切り替え信号（波形）とが重なり合い（以後、衝突とも記載する）、しかも連続で１ｘＰａｇｅ受信タイミングに衝突することが起こる。
【００１５】
図２（Ｂ）に、ｍの値をＴＤ０＋ＴＰａｇｅ＋Ｔ１ｘの合計値と等しくした例を示す。
このｍの値が、図２（Ａ）のｍの値の２倍であり、５．１２秒毎に、ｍの値の整数倍を間隔としてＢＣＭＣＳデータのフローをシフトする。
しかし、ｍの値が大きくなるが、ＡＴからのＲＦ回路の切り替え信号と衝突する時間領域は、図２（Ａ）と比較して少なく、時刻ｔ１とｔ２の期間の１個だけである。またこのＢＣＭＣＳデータのフローとＲＦ回路切り替え信号は連続して２回以上衝突していないので、ＡＴの１ｘＰａｇｅ受信動作には影響が無い。
【００１６】
図２（Ｃ）に、ｍの値を２×（ＴＤ０＋ＴＰａｇｅ＋Ｔ１ｘ）とした例を示す。
このｍの値は、図２（Ｂ）のｍの値の２倍で、ＢＣＭＣＳデータのフロー期間がより長くなり、ＢＣＭＣＳデータとＡＴのＲＦ回路切り替え信号との衝突する時間（５．１２秒の繰り返し周期）が短くなる。
たとえば、最初ＢＣＭＣＳのフローが時刻ｔ０でスタートし、５．１２秒周期でｍ間隔ずれていく。時刻ｔ３になると、またｍのずれは５．１２秒のスタート時刻（ｔ０）から始まる。
図２（Ｂ）と比較して、ＢＣＭＣＳデータとＲＦ回路の切り替え信号の衝突回数は増えるが、連続して衝突することは無いので、ＡＴの１ｘＰａｇｅ受信動作には影響が無い。
【００１７】
このように、図２（Ｂ）と図２（Ｃ）に示した、ｍの値がＴＤ０＋ＴＰａｇｅ＋Ｔ１ｘの合計値以上であれば、ＢＣＭＣＳデータのフローとＡＴのＲＦ回路切り替え信号の衝突は起こりにくくなる。
よって、ｍの最小値をＴＤ０＋ＴＰａｇｅ＋Ｔ１ｘの合計値とする。
【００１８】
図３（Ａ）にＡＴ（通信機器，携帯端末）のＲＦ回路切り替え信号の切り替えタイミングがずれた場合の例を示す。
図３（Ａ）に、１ｘＰａｇｅのタイミングがｍの範囲に収まっていれば１ｘＰａｇｅとＢＣＭＣＳデータ送信のタイミングが重なる事は最小限度で済む。この場合、時刻ｔ０とｔ１の期間、時刻ｔ３（ｔ０）とｔ４（ｔ１）の期間にのみＢＣＭＣＳのデータフローとＲＦ回路切り替え信号が衝突しているが、連続して衝突することは無い。
しかしながら、図３（Ｂ）に示すように、ＡＴのＲＦ回路切り替え信号がＢＣＭＣＳデータのフロートが僅かでもずれると連続して衝突が発生することになる。この図３（Ｂ）に示す例では、時刻ｔ０と時刻ｔ１、時刻ｔ１とｔ２、時刻ｔ３（ｔ０）とｔ４（ｔ１）、時刻ｔ４（ｔ１）とｔ５（ｔ２）のそれぞれの期間にＢＣＭＣＳデータのフローとＲＦ回路切り替え信号が衝突し、しかも連続して衝突している。
そこで図３（Ｃ）に示すように、ＢＣＭＣＳフローの送信間隔をｍずつシフトする点は変更せず（図３（Ａ）と同じ）、1回に送信する間隔をｍ期間内である図の斜線部分、１ｘＰａｇｅ（ＴＤ０＋ＴＰａｇｅ＋Ｔ１ｘ）分だけ短縮した。
ｍから１ｘＰａｇｅ（ＴＤ０＋ＴＰａｇｅ＋Ｔ１ｘ）だけ短縮した例を図３（Ｃ）に示す。この例は図３（Ｂ）に対応し、この図３（Ｂ）で衝突した、時刻ｔ０とｔ１、時刻ｔ３（ｔ０）とｔ４（ｔ１）期間の衝突がなくなっている。
そのため、連続した衝突を避けることができ、ＡＴの１ｘＰａｇｅ受信動作に対する影響を削減することができる。
図３（Ｄ）に、図３（Ａ）に対する、ｍを１ｘＰａｇｅ（ＴＤ０＋ＴＰａｇｅ＋Ｔ１ｘ）だけ短縮した例を示す。
この場合、ＢＣＭＣＳのデータフローとＲＦ回路切り替え信号が衝突するタイミングは変わらない。
【００１９】
以上からＢＣＭＣＳ送信開始位置ｒａｎｇｅθ１、送信終了位置ｒａｎｇｅθ２は次式で示される。
【００２０】
【数５】
2006339764.tif 000006
・・・（３）
ただしＯｆｆｓｅｔ（オフセット）はＢＣＭＣＳデータ毎にインクリメントされる値で範囲は次式で表される。
【００２１】
【数６】
2006339764.tif 000007
またｍは以下の範囲である。
【００２２】
【数７】
2006339764.tif 000008
なおｒａｎｇｅθ１、ｒａｎｇｅθ２は1スロット８０ｍｓの１ｘフレーム単位である。
今まで、送出タイミングの変更について、１ｘＰａｇｅの監視時間だけ短縮した例を示したが、この監視時間以上短縮することもでき、明らかにこれらの値に限定する者では無い。
【００２３】
次に図４に実施形態例である複数の通信機器たとえば携帯端末（携帯電話）で受信する場合を示す。
ＢＣＭＣＳデータが１ｘＰａｇｅ短縮され、繰り返し周期に対応して順次ｍ間隔づつシフトした位置に設定されている。またこれに対して、複数の携帯端末（端末１、・・・、端末４）の各ＲＦ回路切り替え信号のタイミングを示している。
端末１は時刻ｔ０とｔ１の期間のみＢＣＭＣＳデータとＲＦ回路の切り替え信号と衝突している。端末２と端末３は時刻ｔ２とｔ３の期間のみ衝突が発生している。また端末４は時刻ｔ１とｔ２の期間のみ衝突が発生している。
【００２４】
この図４から分かるとおり、ＢＣＭＣＳデータを受信する端末が増加しても、いずれの端末においても１ｘＰａｇｅ受信動作には影響は無い。
この例では、ｍを１ｘＰａｇｅの監視時間だけ短縮した例を示したが、この監視時間以上短縮しても良く、これらの値に限定されるべきものではない。
注意が必要なのは実際の運用ではｍの値を小さくし過ぎると送信できるＢＣＭＣＳデータが少なくなるため実用的ではなくなることである。
またｍを大きくしすぎると、ＢＣＭＣＳデータ送信のタイミングが１ｘＰａｇｅメッセージと重なることが多くなることがあり、これを防止するため通信端末数や通信状態によってｍの最適値を動的に変更する必要がある。
【００２５】
ここで上述したｍ（の値）とＯｆｆｓｅｔの値を通信機器（端末：例えば携帯電話）−基地局間でネゴシエーションを行う手段が確立されていないため、以下のようないくつかの手段を提示する。
（１）  システムパラメータに定義してＥＶ−ＤＯセッションの確立時にネゴシエーションを行う。
（２）  基地局から端末（通信機器）へＢＣＭＣＳ情報を通知するためのＢｒｏａｄｃａｓｔ  Ｏｖｅｒｈｅａｄ  Ｍｅｓｓａｇｅにｍを格納するフィールドを追加する。
【００２６】
（１）端末動作
以上の変更の具体的な内容を端末側（通信機器）について図５を用いて説明する。
図５に示す（携帯）端末１００のブロックは、アンテナ１０、ハードウエア２０とソフトウエア４０で構成され、ハードウエア２０は、ＲＦ（回路）切替部２１、ＥＶ−ＤＯ信号処理部、１ｘ信号処理部とソフトウエアを用いて演算処理するＣＰＵ（マイクロコンピュータ）で構成される。
またソフトウエア（ＣＰＵ）４０は、機能的に、ＥＶ−ＤＯプロトコル処理部４１、１ｘプロトコル処理部、アプリケーション処理部４３、ストリーム処理・表示部４４、タイミング制御部４５、番組情報制御部４６とタイマ制御部４７などから構成されている。
タイマ制御部４７はシステム時間を監視して５１１．２秒のＳｌｏｔＣｙｃｌｅ毎にタイミング制御部４５にモードを１ｘに切り替えるよう働きかける。
タイミング制御部４５はＲＦ（回路）切替部２１に１ｘ／ＥＶ−ＤＯ各モードに切り替えるよう指示する。
ＲＦ回路切替部２１は１ｘ及びＥＶ−ＤＯにＲＦ回路を切り替えるスイッチでＥＶ−ＤＯモードに切り替わるとＥＶ−ＤＯ信号処理部２３、１ｘモードに切り替わると１ｘ信号処理部２２が無線データの送受を行う。
またソフトウエア４０の一部を構成する、ＥＶ−ＤＯプロトコル処理部４１、１ｘプロトコル処理部４２は無線制御メッセージやフレーミング、リンク制御等の処理を行う。
この４ブロックは無線に関わる物理レイヤからアプリケーションレイヤまでを司る。
次にアプリケーション処理部４３では無線レイヤからのデータ、主にＰＰＰ／ＩＰ／ＴＣＰパケットを扱う。
番組情報制御部４６は利用可能なＢＣＭＣＳデータの番組データの取得を行い、番組内容に応じてＢＣＭＣＳプロトコルを制御する。番組データにはＢＣＭＣＳデータの開始時刻、終了時刻、フォーマットや識別番号等が格納されている。
ストリーム処理・表示部４４は取得したＢＣＭＣＳデータから動画や音声データの表示・再生を行う。
【００２７】
図６に（携帯）端末の通信機器が起動してＢＣＭＣＳデータを受信するときの具体的な動作フローチャートを示す。
ステップＳＴ１：
端末はまず起動すると各種内部パラメータを初期化した後、ＲＦ回路切替部２１でＲＦ回路（２１）を１ｘモードに切り替え、１ｘ基地局とネゴシエーションを行い１ｘセッションを確立する。
ステップＳＴ２：
次に図５に示すタイミング制御部４５で通常のＰＧＳＬＯＴの計算を行い、パラメータを保存する。
ステップＳＴ３：
そしてＲＦ回路切替部２１をＥＶ−ＤＯモードに切り替えＥＶ−ＤＯ基地局とネゴシエーションを行ってＥＶ−ＤＯセッションを確立する。
ステップＳＴ４，ＳＴ５，ＳＴ６：
端末はＢＣＭＣＳデータを受信するため番組表（番組情報）を取得し、番組を基地局へ要求すると基地局からＢＣＭＣＳデータの送信が開始される。
ステップＳＴ７：
ＢＣＭＣＳデータの受信が終了したかどうかを判断する。
ステップＳＴ８：
ＢＣＭＣＳデータの受信が終了しないとき待ち受ける。
ステップＳＴ９：
ステップＳＴ７でＢＣＭＣＳデータの受信が終了しないとき、常にタイマ制御部４７が、現在時刻がＳｌｏｔＣｙｃｌｅ＋ＰＧＳＬＯＴかどうか（５．１２秒毎の１ｘＰａｇｅ受信時刻）を監視する。
ステップＳＴ１０：
タイマ制御部４７が現在時刻のＳｌｏｔＣｙｃｌｅ＋ＰＧＳＬＯＴを満たすかどうか判断する。
ステップＳＴ１１からＳＴ１３：
タイマ制御部４７が現在時刻のＳｌｏｔＣｙｃｌｅ＋ＰＧＳＬＯＴを満たすと、ＲＦ回路切替部２１を１ｘモードに切り替え１ｘＰａｇｅメッセージを受信し（ステップＳＴ１２）、ＥＶ−ＤＯモードに戻る（ステップＳＴ１３）。
ステップＳＴ１０において、（３）式の範囲である場合は上記動作を行わず、ステップＳＴ６に戻る。
この一連の動作が受信するＢＣＭＣＳデータの終了予定時間まで繰り返される。
【００２８】
（２）  基地局動作
次に基地局側の動作について説明する。
図７に基地局が属するＥＶ−ＤＯネットワーク２００の構成図を示す。
ＥＶ−ＤＯネットワーク２００は、基地局２０１、ＥＶ−ＤＯハイブリッド端末２０２、ＰＣＦ２０３、ＢＳＮ２０４，ＢＣＭＣＳコントローラ２０５、ＢＣＭＣＳコンテンツ・プロバイダー２０６、ＢＣＭＣＳコンテンツ・サーバー２０７などで構成されている。
【００２９】
基地局２０１はＥＶ−ＤＯネットワークの無線プロトコルを司る。
ＰＣＦ２０３はＥＶ−ＤＯセッションの管理、ＢＳＮ２０４はＢＣＭＣＳに対応したＩＰネットワークと無線ネットワークの変換ゲートウェイである。
ＢＣＭＣＳ  Ｃｏｎｔｅｎｔ  Ｐｒｏｖｉｄｅｒ（ＢＣＭＣＳコンテンツ・プロバイダー）２０６はストリーミングコンテンツのフレーミング・暗号化・エンコード処理を行う中間サーバである。
ＢＣＭＣＳ  Ｃｏｎｔｅｎｔ  Ｓｅｒｖｅｒ（ＢＣＭＣＳコンテンツ・サーバー）２０７はストリーミングコンテンツの生成ポイントである。
最後にＢＣＭＣＳ  Ｃｏｎｔｒｏｌｌｅｒ（ＢＣＭＣＳコントローラ）２０５はＢＣＭＣＳセッションの管理と番組表データ等の管理を行っている。
この中で基地局２０１はＰＣＦから送られてくるＢＣＭＣＳデータをＥＶ−ＤＯ無線フレームの乗せ換え、無線データとして送信する機能を持っている。
【００３０】
図８に基地局（側）３００のブロック構成図を示す。
基地局３００は、アンテナ３０１、ハードウエア３１０とソフトウエア（ＣＰＵ）３２０で構成されている。
ハードウエア３１０は、ＥＶ−ＤＯ信号処理部３１１とソフトウエアを用いて演算処理するＣＰＵ（マイクロコンピュータ）などで構成される。
ソフトウエア（ＣＰＵ）３２０は、ＥＶ−ＤＯプロトコル処理部３２１、タイミング制御部３２２とアプリケーション処理部３３３で構成されている。
【００３１】
ソフトウエア（ＣＰＵ）３２０の一部を構成する、タイミング制御部３２２はＢＣＭＣＳデータを送信するタイミングを指示する。
このタイミングは、図３（Ｃ）と図３（Ｄ）に示すように、上述したｍをたとえば１ｘＰａｇｅ短縮し、かつＰＧＳＬＯＴ周期に対して、逐次ｍずつ時間をシフトした構成となっている。これにより、たとえば複数の端末に対して、ＲＦ回路切り替えの信号とタイミングが衝突しないようにされている。
図３（Ｃ）と図３（Ｄ）においては、受信側（通信機器、例えばＥＶ−ＤＯハイブリッド端末）の１ｘＰａｇｅの監視時間だけパケットの送出タイミングを変化させた例を示したが、この監視時間以上送出タイミングを変化させても良く、これらの値に限定されるべきものでは無い。
ＥＶ−ＤＯ信号処理部３１１は無線データの送受を行い、ＥＶ−ＤＯプロトコル処理部３２１は無線制御メッセージやフレーミング、リンク制御等の処理を行う。この２ブロックは無線に関わる物理レイヤからアプリケーションレイヤまでを司る。
次にアプリケーション処理部３３３では無線レイヤからのデータ、主にＰＰＰ／ＩＰ／ＴＣＰパケットを扱う。
番組情報制御部は利用可能なＢＣＭＣＳデータの番組データの取得を行い、番組内容に応じてＢＣＭＣＳプロトコルを制御する。
番組データにはＢＣＭＣＳデータの開始時刻、終了時刻、フォーマットや識別番号等が格納されている。
ストリーム処理・表示部は取得したＢＣＭＣＳデータから動画や音声データの表示・再生を行う。
【００３２】
以上述べたように、本発明においては、従来５．１２秒の全スロット（６４スロット）に渡ってＢＣＭＣＳフローを送信していたのを、一定の間隔ｍ（たとえば８０ｍｓのスロット単位）で送信するとともに、Ｓｌｏｔ  Ｃｙｃｌｅ毎にｍずつＢＣＭＣＳフローの送信間隔をシフトするようにした。
その結果、基地局から送信されるＢＣＭＣＳデータのフローと各移動体端末のＲＦ回路切り替え信号と連続して衝突することを回避できる。
したがって、移動体端末がセル境界を移動中、１ｘシステムが圏外判定されることを極力低減し、安定した受信品質を確保することができる。
【図面の簡単な説明】
【００３３】
【図１】ハイブリッド動作中のＲＦ回路を切り替える切り替え信号の波形図である。
【図２】ＢＣＭＣＳデータのフローの送信間隔をずらしたときのＢＣＭＣＳデータとＲＦ回路切り替え信号の関係を示したタイミングチャートである。
【図３】ＢＣＭＣＳデータのフローの送信間隔の一部を短縮したときのＢＣＭＣＳデータとＲＦ回路切り替え信号の関係を示したタイミングチャートである。
【図４】ＢＣＭＣＳデータのフローの送信間隔の一部を短縮したときのＢＣＭＣＳデータと複数の移動体端末の各ＲＦ回路切り替え信号の関係を示したタイミングチャートである。
【図５】移動体端末の回路ブロックを示すブロック構成図である。
【図６】移動体端末の動作を説明するためのフローチャートである。
【図７】移動体通信のシステム構成図である。
【図８】移動体通信システムの基地局のブロック構成図である。
【図９】ページメッセージの受信タイミングを示すタイミングチャートである。
【図１０】複数移動体端末のメッセージの受信タイミングを示すタイミングチャートである。
【図１１】ＢＣＭＣＳデータの受信タイミングを示すタイミングチャートである。
【符号の説明】
【００３４】
１０，３０１…アンテナ、２０，３１０…ハードウエア、２１…ＲＦ切替部（ＲＦ回路切り替え回路）、２２…１ｘ信号処理部、２３…ＥＶ−ＤＯ処理部、４０，３２０…ソフトウエア（ＣＰＵ）、４１，３２１…ＥＶ−ＤＯプロトコル処理部、４２…１ｘプロトコル処理部、４３，３３３…アプリケーション処理部、４４…ストリーム処理・表示部、４５，３２２…タイミング制御部、４６…番組情報制御部、４７…タイマ制御部、１００…携帯（移動体）端末、２００…移動体通信システム、２０１，３００…基地局、２０２…ＥＶ−ＤＯハイブリッド端末、２０３…ＰＣＦ、２０４…ＢＳＮ、２０５…ＢＣＭＣＳコントローラ、２０６…ＢＣＭＣＳコンテンツ・プロバイダー、２０７…ＢＣＭＣＳコンテンツ・サーバー、３１１…ＥＶ−ＤＯ信号処理部。
【図１】
2006339764.tif 000009
【図２】
2006339764.tif 000010
【図３】
2006339764.tif 000011
【図４】
2006339764.tif 000012
【図５】
2006339764.tif 000013
【図６】
2006339764.tif 000014
【図７】
2006339764.tif 000015
【図８】
2006339764.tif 000016
【図９】
2006339764.tif 000017
【図１０】
2006339764.tif 000018
【図１１】
2006339764.tif 000019